【手続補正書】
【提出日】平成17年3月31日(2005.3.31)
【手続補正１】
【補正対象書類名】明細書
【補正対象項目名】特許請求の範囲
【補正方法】変更
【補正の内容】
【特許請求の範囲】
【請求項１】
物品(15)が所定間隔で内部に供給された筒状フィルム(11)の移送路を挟む上下位置に近接・離間移動可能に配設されると共に、フィルム移送方向上流側で相互に近接して前記筒状フィルム(11)を挟持した状態で該筒状フィルム(11)と共に下流側へ移動して筒状フィルム(11)の物品間にエンドシールを施した後に相互に離間して上流側に移動する一対のシール体(20,21)と、
前記両シール体(20,21)の配設位置より上流側に設けられ、前記筒状フィルム(11)内に供給された物品(15)を下方から支持するベッド(16)と、
前記シール体(20,21)の配設位置よりフィルム移送方向上流側において、前記ベッド(16)から受渡される前記筒状フィルム(11)内に供給された物品(15)を載置して移送すると共に、フィルム移送方向に沿って水平移動可能に設けられた無端状の第１移送コンベヤ(18)と、
前記シール体(20,21)の配設位置よりフィルム移送方向下流側に設けられ、エンドシールされて得られた包装体を移送する無端状の第２移送コンベヤ(19)と、
前記第１移送コンベヤ(18)および第２移送コンベヤ(19)の上流端部を、両シール体(20,21)と共にフィルム移送方向に沿って移動し、かつ一対のシール体(20,21)の近接移動に伴い、第１移送コンベヤ(18)と第２移送コンベヤ(19)との対向端部を相対的に離間して下側のシール体(21)の両コンベヤ上方への移動を許容すると共に、一対のシール体(20,21)の離間移動に伴い、両コンベヤ(18,19)の対向端部を相対的に近接する連動手段(53)と、
前記第２移送コンベヤ(19)に配設され、該移送コンベヤ(19)を駆動するモータ(38)と、
前記両コンベヤ(18,１9)の対向端部の相対的な位置変化を許容し、第２移送コンベヤ(19)の回転駆動力を第１移送コンベヤ(18)に伝達する回転伝達手段(39)とを備え、
前記第１移送コンベヤ(18)は、両シール体(20,21)と共にフィルム移送方向上流側に移動した際に、前記ベッド(16)の下側に移動可能に構成されている
ことを特徴とする横型製袋充填機のエンドシール装置。
【請求項２】
前記第１移送コンベヤ(18)における無端ベルト(18b)が巻掛けられる下流端のプーリ(18a)と、第２移送コンベヤ(19)における無端ベルト(19c)が巻掛けられる上流端のプーリ(19a)との間で、前記回転伝達手段(39)により回転が伝達されるよう構成される請求項１記載の横型製袋充填機のエンドシール装置。
【請求項３】
前記回転伝達手段(39)は、
前記第１移送コンベヤ(18)における下流端のプーリ(18a)と一体的に回転するよう同軸上に配設された従動プーリ(44)と、
前記第２移送コンベヤ(19)における上流端のプーリ(19a)と一体的に回転するよう同軸上に配設された駆動プーリ(41)と、
第１移送コンベヤ(18)と第２移送コンベヤ(19)との対向端部が離間・近接移動した際に移動し、前記駆動プーリ(41)および従動プーリ(44)との間に伝達用無端ベルト(46)が弛むことなく常に連繋状態を保持して回転を伝達し得るよう巻掛けられる複数の遊転プーリ(42,43,45)とから構成される請求項２記載の横型製袋充填機のエンドシール装置。
【手続補正２】
【補正対象書類名】明細書
【補正対象項目名】０００７
【補正方法】変更
【補正の内容】
【０００７】
【課題を解決するための手段】
前記課題を克服し、所期の目的を達成するため、本発明に係る横型製袋充填機のエンドシール装置は、
物品が所定間隔で内部に供給された筒状フィルムの移送路を挟む上下位置に近接・離間移動可能に配設されると共に、フィルム移送方向上流側で相互に近接して前記筒状フィルムを挟持した状態で該筒状フィルムと共に下流側へ移動して筒状フィルムの物品間にエンドシールを施した後に相互に離間して上流側に移動する一対のシール体と、
前記両シール体の配設位置より上流側に設けられ、前記筒状フィルム内に供給された物品を下方から支持するベッドと、
前記シール体の配設位置よりフィルム移送方向上流側において、前記ベッドから受渡される前記筒状フィルム内に供給された物品を載置して移送すると共に、フィルム移送方向に沿って水平移動可能に設けられた無端状の第１移送コンベヤと、
前記シール体の配設位置よりフィルム移送方向下流側に設けられ、エンドシールされて得られた包装体を移送する無端状の第２移送コンベヤと、
前記第１移送コンベヤおよび第２移送コンベヤの上流端部を、両シール体と共にフィルム移送方向に沿って移動し、かつ一対のシール体の近接移動に伴い、第１移送コンベヤと第２移送コンベヤとの対向端部を相対的に離間して下側のシール体の両コンベヤ上方への移動を許容すると共に、一対のシール体の離間移動に伴い、両コンベヤの対向端部を相対的に近接する連動手段と、
前記第２移送コンベヤに配設され、該移送コンベヤを駆動するモータと、
前記両コンベヤの対向端部の相対的な位置変化を許容し、第２移送コンベヤの回転駆動力を第１移送コンベヤに伝達する回転伝達手段とを備え、
前記第１移送コンベヤは、両シール体と共にフィルム移送方向上流側に移動した際に、前記ベッドの下側に移動可能に構成されていることを特徴とする。
【手続補正３】
【補正対象書類名】明細書
【補正対象項目名】００３１
【補正方法】変更
【補正の内容】
【００３１】
【変更例】
本願は前述した実施例の構成に限定されるものでなく、その他の構成を適宜に採用することができる。
１. 第１移送コンベヤのカム部材におけるカム溝を、上下方向に直線状に延びる下部溝と、上下方向に直線状に延びると共に前記下部溝よりフィルム移送方向下流側に位置する上部溝および上下の溝を連結する傾斜溝で形成することで、下側のシール体が上昇、下降する際に、第２移送コンベヤにおける上流端のプーリと第１移送コンベヤ(下流端のプーリ)が相互に移動して離間・近接するようにしてもよい。
また、第１移送コンベヤのカム溝を上部溝、下部溝および傾斜溝で形成したもとで、第２移送コンベヤのカム溝を上下に延在する直線状に形成してもよく(実施例とは逆の構成)、この場合は下側のシール体が上昇、下降する際に、第１移送コンベヤ(下流端のプーリ)が第２移送コンベヤにおける上流端のプーリに対して移動して離間・近接することとなる。
２. 連動手段に関しては、コンベヤ側にローラを配設し、下側のシール体側に、このローラが係合するカム溝が形成されたカム部材を配設して、前述のように第２移送コンベヤにおける上流端のプーリと第１移送コンベヤ(下流端のプーリ)が近接・離間移動する構成としてもよい。
３. 第１移送コンベヤと第２移送コンベヤとの間で回転を伝達する回転伝達手段は、間隔が広がった際の、第１移送コンベヤにおける下流端のプーリ軸および第２移送コンベヤにおける上流端のプーリ軸における夫々の歯付きプーリに巻き掛け可能な長さの歯付きベルトを採用し、これら両歯付きプーリの間隔が狭まった際には、バネや重り等で変位する遊転の歯付きプーリで歯付きベルトの弛みをとるような構成としてもよい。
また実施例のように、第１移送コンベヤにおける下流端のプーリ軸および第２移送コンベヤにおける上流端のプーリ軸の間で、両コンベヤの回転を伝達する場合は、両コンベヤ間の拡開、閉鎖に対応可能に歯付きプーリを配設したが、例えば、第２移送コンベヤにおける無端ベルトを駆動するプーリ、あるいはモータ出力軸等のフィルム移送方向に移動しない軸から、第１移送コンベヤの適宜のプーリ軸に回転を伝達してもよく、この場合においても、実施例と同様に、第１移送コンベヤのフィルム移送方向の移動に対応して回転を伝達し得るように、歯付きプーリや歯付きベルト等を適宜に配設すればよい。
４. 両コンベヤについては、ベルトコンベヤに代えて、スラットコンベヤ等とする構成も採用し得る。
【手続補正４】
【補正対象書類名】明細書
【補正対象項目名】００３２
【補正方法】変更
【補正の内容】
【００３２】
【発明の効果】
以上説明した如く、本発明の請求項１に係る横型製袋充填機のエンドシール装置によれば、上流側の第１移送コンベヤ自体を水平移動可能に構成したから、従来の技術のようなコンベヤ長を可変するのに対応して設けられるアイドルプーリが不要となり、上下両シール体の配設位置の上流側での物品移送領域を短かくすることができる。すなわち、両シール体と上流側に配設される製袋器との間の距離を短かくすることができ、製袋器から両シール体の配設位置までの間における筒状フィルム内に物品が無い状態で横型製袋充填機を始動したときに発生する空袋が少なくなり、フィルムのロスを減少させ得る。また、製袋器から両シール体の配設位置までの距離を短縮できるので、筒状フィルム内に供給された物品の両シール体までの移送距離が短かくなり、筒状フィルム内での物品の位置ズレを抑制することができ、両シール体がエンドシールする際に物品を噛み込むことが低減される。加えて、エンドシール装置自体の長さも短くなり、コンパクト化を図り得る。
また両シール体で筒状フィルムを挟持した状態で該筒状フィルムと共にフィルム移送方向下流側へ移動するよう構成したので、筒状フィルムに良好なエンドシールを施すことができる。更に、両シール体の上流側に設けたベッドの下側に、前記第１移送コンベヤが移動し得るようにしたので、製袋器と両シール体の配設位置との間の距離を更に短縮することができる。
【手続補正５】
【補正対象書類名】明細書
【補正対象項目名】００３３
【補正方法】変更
【補正の内容】
【００３３】
請求項２に係るエンドシール装置では、上流および下流側の移送コンベヤをベルトコンベヤとしたから、包装動作時の騒音が低減する。請求項３に係るエンドシール装置では、回転伝達手段の伝達用無端ベルトを、第１移送コンベヤと第２移送コンベヤとの対向端部が離間・近接移動した際にも弛まないよう複数のプーリに巻掛けたから、両移送コンベヤに常に好適に回転を伝達し得る。
【手続補正６】
【補正対象書類名】明細書
【補正対象項目名】符号の説明
【補正方法】変更
【補正の内容】
【符号の説明】
１１  筒状フィルム
１２  製袋器
１５  物品
１６  ベッド
１８  第１移送コンベヤ
１８ａ  第１プーリ(プーリ)
１８ｂ  第１無端ベルト(無端ベルト)
１９  第２移送コンベヤ
１９ａ  第２移動プーリ(プーリ)
１９ｃ  第２無端ベルト(無端ベルト)
２０  第１シール体(シール体)
２１  第２シール体(シール体)
３５  第１スライド台
３７  第２スライド台
３８  モータ
３９  回転伝達手段
４１  駆動プーリ
４２  第１遊転プーリ(遊転プーリ)
４３  第２遊転プーリ(遊転プーリ)
４４  従動プーリ
４５  第３遊転プーリ(遊転プーリ)
４６  伝達用無端ベルト
５３  連動手段